(57)【要約】【課題】  現金自動取引装置による生体認証機能を有するＩＣカードの更新において、認証の精度が低下しない更新を実現する。【解決手段】  カード取扱部によりカードから読み取った生体情報と、生体情報取得部により利用者から読み取った生体情報との比較の結果、前記利用者が前記カードの所有者であると確認された場合に、生体情報取得部により読み取った生体情報を記憶する記憶部と、前記記憶部への生体情報の記憶を規定回数実行したか否かを判断し、実行していた場合には前記記憶部に記憶された複数の生体情報を用いて、新規に発行するカードに記憶する生体情報を生成し、実行していない場合には生体情報の取得を利用者に指示して再び生体情報を取得する制御部を設けた。【選択図】図４
2010055228.tif 000002
【特許請求の範囲】
【請求項１】
利用者から生体情報を取得する生体情報取得部と、
カードに記憶された情報を読み取るカード取扱部と、
前記カード取扱部によりカードから読み取った生体情報と、前記生体情報取得部により利用者から読み取った生体情報との比較の結果、前記利用者が前記カードの所有者であると確認された場合に、前記生体情報取得部により読み取った生体情報を記憶する記憶部と、
前記記憶部への生体情報の記憶を規定回数実行したか否かを判断し、実行していた場合には前記記憶部に記憶された複数の生体情報を用いて、新規に発行するカードに記憶する生体情報を生成し、実行していない場合には生体情報の取得を利用者に指示して再び生体情報を取得する制御部とを有することを特徴とするカード処理装置。
【請求項２】
請求項１に記載のカード処理装置であって、
前記制御部は、複数の生体情報の中から前記カード取扱部によりカードから読み取った生体情報と相似した１つの生体情報を決定することで、新規に発行するカードに記憶する生体情報を生成することを特徴とするカード処理装置。
【請求項３】
請求項１に記載のカード処理装置であって、
前記制御部は、複数の生体情報を基に平均的な１つの生体情報を作成することで、新規に発行するカードに記憶する生体情報を生成することを特徴とするカード処理装置。
【請求項４】
請求項１乃至３のいずれかに記載のカード処理装置であって、
さらに、生体が生体情報取得部から離されたか否かを判定する生体有無判定部を有し、
前記制御部は、生体情報の取得を実施する毎に生体有無判定部により生体が離されたか否かを判定し、生体が離されていないと判定した場合は生体を離すように利用者に指示することを特徴とするカード処理装置。
【請求項５】
請求項１乃至４のいずれかに記載のカード処理装置であって、
さらに、生体が生体情報取得部の所定の位置に静止しているか否かを判定する生体静止判定部を有し、
前記制御部は、前記生体情報を取得する際に生体静止判定部により生体が所定の位置に静止しているか否かを判定し、生体が静止していると判定した場合は生体情報を取得し、生体が静止していないと判定した場合は生体を静止する旨の指示を生体が静止されるまで繰り返すことを特徴とするカード処理装置。
【請求項６】
請求項１乃至５のいずれかに記載のカード処理装置であって、
前記制御部は、前記生体情報取得部により生体情報を取得する際に、予め定められた個数の生体情報を連続して取得したか否かを判定し、取得したと判定した場合は連続して取得した複数の生体情報の中から登録に適した１つの生体情報を決定し、取得していないと判定した場合は再び生体情報の取得を試みることを特徴とするカード処理装置。
【請求項７】
請求項１乃至５のいずれかに記載のカード処理装置であって、
前記制御部は、前記生体情報取得部により生体情報を取得する際に、予め定められた個数の生体情報を連続して取得したか否かを判定し、取得したと判定した場合は連続して取得した複数の生体情報を基に平均的な１つの生体情報を生成し、取得していないと判定した場合は再び生体情報の取得を試みることを特徴とするカード処理装置。
【請求項８】
請求項１乃至５のいずれかに記載のカード処理装置であって、
前記制御部は、前記生体情報取得部により生体情報を取得する際に、予め定められた時間が経過するまで連続して生体情報を取得したか否かを判定し、取得したと判定した場合は連続して取得した複数の生体情報の中から登録に適した１つの生体情報を決定し、取得していないと判定した場合は再び生体情報の取得を試みることを特徴とするカード処理装置。
【請求項９】
請求項１乃至５のいずれかに記載のカード処理装置であって、
前記制御部は、前記生体情報取得部により生体情報を取得する際に、予め定められた時間が経過するまで連続して生体情報を取得したか否かを判定し、取得したと判定した場合は連続して取得した複数の生体情報を基に平均的な１つの生体情報を生成し、取得していないと判定した場合は再び生体情報の取得を試みることを特徴とするカード処理装置。
【請求項１０】
利用者から生体情報を取得する第１ステップと、
カードに記憶された情報を読み取る第２ステップと、
カード取扱部によりカードから読み取った生体情報と、生体情報取得部により利用者から読み取った生体情報との比較の結果、前記利用者が前記カードの所有者であると確認された場合に、前記生体情報取得部により読み取った生体情報を記憶する第３ステップと、
前記生体情報の記憶を規定回数実行したか否かを判断し、実行していた場合には前記記憶部に記憶された複数の生体情報を用いて、新規に発行するカードに記憶する生体情報を生成し、実行していない場合には生体情報の取得を利用者に指示して再び生体情報を取得する第４ステップとを有することを特徴とするカード処理方法。
【請求項１１】
請求項１０に記載のカード処理方法であって、
前記第４ステップは、複数の生体情報の中から前記カード取扱部によりカードから読み取った生体情報と相似した１つの生体情報を決定することで、新規に発行するカードに記憶する生体情報を生成することを特徴とするカード処理方法。
【請求項１２】
請求項１０に記載のカード処理方法であって、
前記第４ステップは、複数の生体情報を基に平均的な１つの生体情報を作成することで、新規に発行するカードに記憶する生体情報を生成することを特徴とするカード処理方法。
【請求項１３】
請求項１０乃至１２のいずれかに記載のカード処理方法であって、
さらに、生体情報の取得を実施する毎に生体有無判定部により生体が離されたか否かを判定し、生体が離されていないと判定した場合は、生体を離すように利用者に指示する第５ステップを有することを特徴とするカード処理方法。
【請求項１４】
請求項１０乃至１３のいずれかに記載のカード処理方法であって、
さらに、生体情報を取得する際に生体静止判定部により生体が所定の位置に静止しているか否かを判定し、生体が静止していると判定した場合は生体情報を取得し、生体が静止していないと判定した場合は生体を静止する旨の指示を生体が静止されるまで繰り返す第６ステップを有することを特徴とするカード処理方法。
【請求項１５】
請求項１０乃至１４のいずれかに記載のカード処理方法であって、
前記第１ステップにおいて、予め定められた個数の生体情報を連続して取得したか否かを判定し、取得したと判定した場合は連続して取得した複数の生体情報の中から登録に適した１つの生体情報を決定し、取得していないと判定した場合は再び生体情報の取得を試みることを特徴とするカード処理方法。
【請求項１６】
請求項１０乃至１４のいずれかに記載のカード処理方法であって、
前記第１ステップにおいて、予め定められた個数の生体情報を連続して取得したか否かを判定し、取得したと判定した場合は連続して取得した複数の生体情報を基に平均的な１つの生体情報を生成し、取得していないと判定した場合は再び生体情報の取得を試みることを特徴とするカード処理方法。
【請求項１７】
請求項１０乃至１４のいずれかに記載のカード処理方法であって、
前記第１ステップにおいて、予め定められた時間が経過するまで連続して生体情報を取得したか否かを判定し、取得したと判定した場合は連続して取得した複数の生体情報の中から登録に適した１つの生体情報を決定し、取得していないと判定した場合は再び生体情報の取得を試みることを特徴とするカード処理方法。
【請求項１８】
請求項１０乃至１４のいずれかに記載のカード処理方法であって、
前記第１ステップにおいて、予め定められた時間が経過するまで連続して生体情報を取得したか否かを判定し、取得したと判定した場合は連続して取得した複数の生体情報を基に平均的な１つの生体情報を生成し、取得していないと判定した場合は再び生体情報の取得を試みることを特徴とするカード処理方法。
【発明の詳細な説明】
【技術分野】
【０００１】
本発明は、生体情報、例えば、指紋や静脈パターン等を用いた本人確認のための認証機能を持つカードを更新するカード処理装置および処理方法に関する。
【背景技術】
【０００２】
金融機関の現金支払機（以下ＣＤと言う）や現金自動取引装置（以下ＡＴＭと言う）による取引では、カードの偽造や他人の成りすましを防ぐため、ＩＣカードの導入が進んでいる。
【０００３】
ＩＣカードは、旧来の磁気ストライプ付きカードと比較してカードの複製が困難になると共に、内部情報が容易に盗難されないという安全性も確保できる。加えて、カード内部に格納できる情報量を飛躍的に増大すると共に、カード内部で演算処理ができることに着目し、指紋や静脈パターン等の生体情報を登録データとしてＩＣカードに保持し、センサが読み取った利用者の生体の特徴パターンと予め登録データとして記憶された生体の特徴パターンとを照合して本人確認を実施する、生体認証機能を持ったＩＣカードが実用化されている。
【０００４】
生体認証機能を持ったＩＣカードでは、利用者の生体情報はＩＣカードの内部に格納されており、照合処理もＩＣカード内部で実施するため、生体情報が外部へ漏洩することを防止でき個人情報の秘匿性を保つことができる。
【０００５】
一方で、金融機関で使用するカードには、例えば発行されてから５年間というような有効期限が設定されており、カードの更新手続きが必要となる。生体認証機能を持ったＩＣカードの更新においては、前記のとおり生体情報をＩＣカードの外部に取り出すことができないため、旧ＩＣカード（更新前のカード）に登録された生体情報を新ＩＣカード（更新後のカード）へ複写することができない。従って、生体認証機能を有するＩＣカードを更新する場合には、利用者は金融機関の窓口へ出向いて、新ＩＣカードへ生体情報を再び登録する手続きが必要となる。
【０００６】
ＩＣカードの更新時に金融機関の窓口へ出向く煩雑さの解消方法として、ＡＴＭによる更新方法が提案されている（特許文献１）。この方法は、旧ＩＣカードに登録された生体情報とセンサが読み取った利用者の生体の特徴パターンとを照合し、本人が確認できた場合は、前記センサが一度の読み取りで読み取った利用者の生体の特徴パターンを、新ＩＣカードの登録データとして登録する方法である。
【０００７】
一方、利用者から複数の生体情報を取得して生体認証に好適な生体情報をＩＣカードに登録する生体情報の登録方法が提案されている（特許文献２）。
【０００８】
【特許文献１】特開２００６−１９５５９１号公報
【特許文献２】特開２００６−３２０７１５号公報
【発明の開示】
【発明が解決しようとする課題】
【０００９】
生体認証では、予め登録データとして登録された生体の特徴パターンと、センサが生体から読取った生体の特徴パターンとを照合して照合一致度を求め、一致度が閾値を超える場合に、本人確認が是認されたとみなす。照合一致度の判定する際には、生体の置き方の違いやセンサのノイズ等によって照合が完全に一致することはなく、わずかに不一致が生じる。このため、利用者の使い勝手を考慮し、例えば登録データとの照合一致度が８０％を超えれば本人確認が是認されたとみなす等、本人確認のための閾値はゆとりを持って設定されている。
【００１０】
従って、特許文献１では、一度の読取りで本人確認が是認された生体の特徴パターンをそのまま新ＩＣカードへ登録すると、旧ＩＣカードに登録された生体の特徴パターンとは１００％一致していないものが新ＩＣカードの登録データとして採用されてしまう。故に、更新手続きにより旧ＩＣカードに登録されていた生体の特徴パターンに比べて劣化した生体の特徴パターンが新ＩＣカードへ登録されることとなる。
【００１１】
また、このように劣化した生体の特徴パターンが登録された新ＩＣカードを用いて生体認証による本人確認をするケースでは、劣化した登録データが照合一致度を低下させる要因となり、結果として認証精度が悪化することが課題である。
【００１２】
また、特許文献２では、金融機関の係員の指導により生体情報を新規に登録するものであり、本発明のように金融機関の係員の指導によらずに利用者が単独で生体情報の登録（更新）をするものではない。よって、利用者が単独で生体情報の登録（更新）を行う場合であっても、生体認証に好適な生体情報を新ＩＣカードへ登録するための考慮がなされていない。例えば、本発明は無人のＡＴＭで利用者が生体情報を登録する際には、生体の登録処理に慣れていないために、生体情報取得装置に対して指を傾けてかざしてしまったりロールさせてかざしてしまったりして、登録に適さない生体情報（本人でも再現しにくい状態の生体情報）を新ＩＣカードへ登録してしまう可能性がある。また、係員を介在させずに実行するＩＣカードの更新処理においては、係員がチッェクすることはできないため、悪意のある者がＩＣカードに登録する生体情報を改ざんすることのないようセキュリティの高いシステムを提供する必要がある。
【課題を解決するための手段】
【００１３】
本発明は、前記課題の解決のため、カード取扱部によりカードから読み取った生体情報と、生体情報取得部により利用者から読み取った生体情報との比較の結果、前記利用者が前記カードの所有者であると確認された場合に、前記生体情報取得部により読み取った生体情報を記憶する記憶部と、前記記憶部への生体情報の記憶を規定回数実行したか否かを判断し、実行していた場合には前記記憶部に記憶された複数の生体情報を用いて、新規に発行するカードに記憶する生体情報を生成し、実行していない場合には生体情報の取得を利用者に指示して再び生体情報を取得する制御部を設けた。
【発明の効果】
【００１４】
複数回取得した生体の特徴パターンの中から、好適な特徴パターンを決定して、新ＩＣカードへ登録することで、更新手続きによる登録データの劣化を軽減させ、その結果、更新後の新ＩＣカードを用いた認証においても、精度の低下を防止することができる。
【発明を実施するための最良の形態】
【００１５】
以下に、本発明の実施の形態を説明する。
【実施例１】
【００１６】
以下、図１〜図５を参照して本発明の実施形態について説明する。
【００１７】
図１は、本実施形態の構成図である。
【００１８】
ＡＴＭ（現金自動取引装置）１０１は、生体情報として利用者の指静脈パターンを読み取る指静脈読取部１０２と、利用者への取引に関する操作案内（ガイダンス）等を表示する表示部１０３と、利用者の操作によって取引のための情報を入力する入力部１０４と、ＩＣカードの読み書きを処理するカード読取書込部（カード取扱部）１０５と、入出金される紙幣を処理する入出金部１１１と、通帳へ印字処理を行う通帳機構部１１２と、これら各部の処理動作を制御する制御部１２０とを備える。
【００１９】
また、旧ＩＣカード１３１及び新ＩＣカード１３２は、ＩＣチップを具備したカードであって、取引時に利用者によってＩＣカード読取書込部に挿入されるものである。また、表示部１０３および操作部１０４はタッチパネル付き液晶モニター等により構成された入力兼表示部とすることが望ましく、様々な情報を画面表示すると同時に、この表示に含まれる色々な項目への入力押下も検知する。
【００２０】
なお、ＡＴＭ１０１は、カードの情報を読み取って各種取引を処理するため、カードをカード処理装置と言っても良い。
【００２１】
図２は、指静脈読取部１０２の構成を示す図である。
【００２２】
指静脈読取部１０２は、指静脈読取部での処理制御を担うプロセッサであり、後述する各種プログラム制御、データ処理を司るＣＰＵ（制御部）２０１と、指静脈読取部１０２とＡＴＭ１０１とを接続するためのインターフェースである通信部２０２と、生体画像を取得するための近赤外光を照射する照明用ＬＥＤであり、例えば静脈認証では指の静脈パターンの撮影に好適な近赤外光ＬＥＤを用いた生体照明ＬＥＤ２０３と、生体画像を取得するためのセンサであり、ＣＣＤやＣＭＯＳイメージセンサなどで構成され、ＬＥＤ２０３によって照射された指の画像を取得するための画像センサ２０４と、装置を動作させるための、各種プログラム領域やデータバッファ領域を確保した記憶部２０５とを備える。
【００２３】
記憶部２０５に記憶されている制御プログラム２１０は、指静脈読取部１０２を制御するプログラムで、上述のとおり、ＣＰＵ２０１のハードウェア構成によって制御される。画像バッファ２２０は、画像センサ２０４で撮影した生体画像データを格納するためのメモリ領域である。生体の特徴パターンバッファ（１）２２１および生体特徴バッファ（２）２２２は、生体画像データから抽出した生体の特徴パターンを格納するためのメモリ領域である。
【００２４】
なお、指静脈読取部１０２又は画像センサ２０４を生体情報を取得するのに用いる構成として生体情報取得部と言っても良い。
【００２５】
図３は、旧ＩＣカード１３１及び新ＩＣカード１３２の構成を示す図である。これらのＩＣカードは、生体認証機能を有しており、更新の際には利用者によってカード読取書込部１０５へ挿入される。
【００２６】
旧ＩＣカード１３１及び新ＩＣカード１３２は、ＩＣカードでの処理制御を担うプロセッサであり、後述する各種プログラム制御、データ処理を司るＣＰＵ（制御部）３１０と、ＩＣカード内における照合処理において、利用者から読み取る生体の特徴パターンデータを格納する等、データを一時的に格納するＲＡＭである記憶部３１１と、ＩＣカードと、ＩＣカード読取書込部１０５を介してＡＴＭ１０１とを接続するためのインターフェースである通信部３１２と、ＩＣカード内部のプログラム及びデータが保持される、不揮発性のメモリである不揮発メモリ３１３とを備える。
【００２７】
不揮発メモリ３１３には、口座情報３２０、生体認証プログラム３３０、前処理データ３４０、及び登録テンプレートデータ３４１を記憶している。
【００２８】
ここで、口座情報３２０は、ＩＣカード所有者の氏名・口座番号・支店番号・口座種類・ＩＣカードの有効期限等、金融取引に必要な情報が記録されている。生体認証プログラム３３０は、ＩＣカードを制御するプログラムで、上述のとおり、ＣＰＵ３１０のハードウェア構成によって制御される。
【００２９】
前処理データ３４０および登録テンプレートデータ３４１は生体認証に用いる情報であり、生体認証機能を有するＩＣカードに保持される。詳述すると、前処理データ３４０は、生体から生体の特徴パターンを取得する際に利用されるデータである。また、登録テンプレートデータ３４１は、生体から取得した生体の特徴パターンとの照合によって、本人確認を実施するもので、ＩＣカードの外部へ読み出すことができない。
【００３０】
前処理データ３４０及び登録テンプレートデータ３４１は、旧カード１３１には従前から登録された状態であり、新ＩＣカード１３２には従前未登録の状態である。そして、ＩＣカードの更新によって、新ＩＣカード１３２に新たに前処理データ３４０及び登録テンプレートデータ３４１が登録される。
【００３１】
図４は、生体認証機能を有するＩＣカードの更新における処理フローを示す。以下、この図を用いて、各処理ステップを説明する。
【００３２】
顧客検知部により利用者がＡＴＭ１０１に近づいたことを検知すると、制御部１２０は表示部１０３に「入金取引」、「出金取引」、「残高照会」、「カード更新」等の案内を表示する。利用者はこれらの中から実行したい内容を選択するが、本実施例においては「カード更新」が押下された場合について説明する。
【００３３】
制御部１２０は、入力部１０４により「カード更新」の選択を受け付けると、表示部１０３に生体情報が登録済みの旧ＩＣカード１３１と、新たに発行された生体情報が未登録の新ＩＣカード１３２とを、カード読取書込部１０５へ挿入するように案内表示する。その案内に応じて、利用者は旧ＩＣカード１３１と新ＩＣカード１３２をカード読取書込部１０５へ挿入する。
【００３４】
制御部１２０は、カード読取書込部１０５により旧ＩＣカード１３１と新ＩＣカード１３２の情報を読み取る。そして、旧ＩＣカード１３１、および、新ＩＣカード１３２から口座情報３２０を読み出してチェックし、カードの正当性確認行う。また、旧ＩＣカード１３１から前処理データ３４０を読み出し、これを指静脈読取部１０２へ送信する（ステップ４００）。
【００３５】
次に、制御部１２０は、利用者に対し指静脈読取部へ指をかざすように案内を表示部１０３に表示する。その案内に応じて利用者が指をかざすと、制御部１２０は指静脈読取部１０２により指の画像を読み取り、その画像に対しステップ４１０で送信しておいた前処理データ３４０を用いて生体の特徴パターンを取得し、生体の特徴パターンバッファ（１）２２１へ格納する。また、それと同時に、カード読取書込部１０５を介して生体の特徴パターンを旧ＩＣカード１３１へ送信する（ステップ４１０）。
【００３６】
旧ＩＣカード１３１の制御部３１０は、ＡＴＭ１０１から受信した生体の特徴パターンデータを受信して記憶部３１１に格納し、予め旧ＩＣカード内に記憶していた生体の特徴パターンである登録テンプレートデータ３４１と照合処理を実施する（ステップ４２０）。照合処理では２つのデータの一致度を算出し、一致度が予め設定された閾値を超える場合は、本人確認は是認され「認証ＯＫ」と判定する。また、一致度が閾値を超えない場合は本人確認が否認され「認証ＮＧ」と判定する。
【００３７】
上述の照合処理の後、制御部１２０は、指静脈読取部１０２にかざされた指が離れたか否かを調べる（生体の有無を検知する）（ステップ４３０）。具体的には、生体照明ＬＥＤ２０３が生体の有無検知に好適な光量に調整された近赤外光を指に向けて照射して、その様子を画像センサ２０４で撮影し、画像を走査することで、指が指静脈読取部１０２にかざされたままの状態であるか否かを判定する。この判定によって指が「有り」と判定される場合は、指が離されるまで再び指の有無検知を繰り返す。また、指の有無判定によって指が「有り」と判定される間は、利用者に指を離すよう表示部１０３にガイダンス表示を実施する。
【００３８】
ここで、制御部１２０において、指が指静脈読取部１０２にかざされたままの状態であるか否かを判定する機能を生体有無判定部とも言う。
【００３９】
ステップ４２０の本人確認の結果が「認証ＮＧ」の場合には、特徴パターンバッファ（１）２２１に格納した特徴パターンは消去した上で、再び特徴パターンデータを取得するためにステップ４１０へ戻る（ステップ４４０）。
【００４０】
一方、本人確認の結果が「認証ＯＫ」の場合には、ステップ４１０からステップ４４０までを繰り返して規定の個数の生体の特徴パターンを取得したか否かを判定する（ステップ４５０）。
【００４１】
特徴パターンバッファ（１）２２１へ格納されている生体の特徴パターンの数が規定個数に達していれば次のステップ４６０へ進み、規定個数未満ならばＳ４１０へ戻り再び特徴パターンデータ取得を繰り返す。
【００４２】
以上のステップ４１０からステップ４５０によって、本人確認が是認された生体の特徴パターンが特徴パターンバッファ（１）２２１内に複数個格納され、かつ生体特徴データを取得する毎に確実に生体が指静脈読取部１０２から一旦離して生体の置き直し動作が発生するため、各生体の特徴パターンには適切な摂動が含まれるようになる。
【００４３】
ステップ４５０の後に、制御部１２０は、特徴パターンバッファ（１）２２１に格納された複数の生体の特徴パターンの中から、旧ＩＣカード１３１の生体認証機能で実施した照合処理の照合一致度が最高値となったものを選択する（ステップ４６０）。これにより、旧ＩＣカード１３１に従前登録されていた登録テンプレートデータと最も相似な生体の特徴パターンを選択できる。
【００４４】
最後に、制御部１２０は、前のステップ４６０にて選択した生体の特徴パターンデータを新ＩＣカード１３２へ登録する登録テンプレートデータ３４１とし、また、生体の特徴パターンから前処理データ３４２を生成して、新ＩＣカードへ登録する（ステップ４７０）。
【００４５】
この後、新ＩＣカードでの本人確認の試行確認や旧ＩＣカード１３１の無効化を実施し、カードを排出して利用者へ返却し、生体認証機能を有するＩＣカードの更新が完了する。
【００４６】
以上のステップ４００からステップ４７０によって、旧ＩＣカードとの本人確認が是認された上で更新手続きが行われることで、無人のＡＴＭ取引であっても、本人確認が厳格に行うことができ、カード更新時の不正を防止できる。また、複数回の生体の特徴パターン取得を実施して好適なものを選択して新カードのへ登録することで、従前は旧ＩＣカードへ登録されていた生体情報と最も相似した特徴パターンデータ（生体情報）が新ＩＣカードへ登録されることになり、登録パターンの劣化を防止できる。また、この結果、更新後の新ＩＣカードにおける認証精度の低下を防止し、旧ＩＣカードと同等の認証精度維持が期待できる。
【００４７】
なお、図４では新ＩＣカードを利用者がＡＴＭ１０１まで持参してカード読取書込部１０５へ挿入する態様にて説明したが、新ＩＣカードを予めＡＴＭ１０１に用意しておいて、必要に応じて発行する態様にしても良い。これにより、利用者の手間を省くことが可能となる。
【００４８】
図５は、ステップ４１０における、生体の特徴パターン取得の詳細な処理フローである。以下、この図を用いて、生体の特徴パターン取得の各処理ステップを説明する。
【００４９】
制御部１２０は、生体照明ＬＥＤ２０３により生体の有無検知に好適な光量に調整された近赤外光を生体である指に向けて照射し、画像センサ２０４により生体の画像を撮影し、撮影した画像を走査して指の有無判定を行う（ステップ５００）。ここで指が「無し」と判定される場合は、指の有無判定を繰り返して指がかざされるの待つ。指が「有り」と判定される場合は、次ステップ５１０へ進む。
【００５０】
制御部１２０は、生体照明ＬＥＤ２０３により生体の静脈パターンを撮影するのに好適な光量に調整された近赤外光を生体である指に向けて照射し、画像センサ２０４により静脈画像を撮影し、画像バッファ２２０へ格納する（ステップ５１０）。
【００５１】
さらに、制御部１２０は、画像バッファ２２０に格納された静脈画像から静脈のパターンを抽出し、前処理データ３４０を参照しながら認証処理に使用する部位の切り出しを行い、生体の特徴パターンデータを生成する（ステップ５２０）。
【００５２】
制御部１２０は、ステップ５２０で行った静脈パターンの抽出を複数回繰り返すことで、以前に抽出した生体の特徴パターンと、今回抽出した生体の特徴パターンとを比較し、その一致度を用いて、生体が静止しているか否かの判定を行う。すなわち、生体が静止している場合は、指の位置が全く変わらないので複数回取得した生体の特徴パターン同士の一致度が過剰に高くなることが予想される。照合の一致度が低い場合には、生体が静止していないと判定し、ステップ５１０へ戻り、指が静止するまで静止判定処理を繰り返す（ステップ５３０）。
【００５３】
一方、照合の一致度が高い場合には、生体が静止していると判定し、特徴パターンデータを、特徴パターンバッファ（２）２２２へ格納する（ステップ５４０）。
【００５４】
次に、制御部１２０は、ステップ５１０からステップ５４０までを繰り返して規定個数の生体の特徴パターンを取得したか否かの判定を行う。ここで、規定個数未満ならばステップ５１０へ戻り、特徴パターンの取得を連続して継続する。
【００５５】
一方、特徴パターンバッファ（２）２２２に格納されている生体の特徴パターンの数が規定個数に達していれば次ステップへ進む（ステップ５５０）。ここまでの処理により、連続して取得した複数の生体の特徴パターンが特徴パターンバッファ（２）２２２内に格納される。
【００５６】
最後に、制御部１２０は、特徴パターンバッファ（２）２２２内に格納された複数の特徴パターンの中から、最適な特徴パターンを選択する（ステップ５６０）。
【００５７】
最適な特徴パターンの選択方法の一例として、次のような方式で実現することができる。生体の特徴パターンは、静脈がある位置を“１”／静脈が無い位置を“０”と割り当てることによって、静脈のパターン形状を表現する。ここで、“１”が多く出現する生体の特徴パターンは、静脈を多く判定しており、生体認証のための情報量がより多く確保されていると言える。従って、生体の特徴パターン中の“１”を数え、多くの“１”が含まれる生体の特徴パターンを最適な生体の特徴パターンとする。
【００５８】
ここで選択された最適な生体の特徴パターンデータは、特徴パターンバッファ（１）２２１へ格納すると同時に、ＡＴＭ１０１へ転送する。
【００５９】
以上のステップ５００〜５６０によって、指静脈読取部１０２おいて、利用者の生体の特徴パターンを取得する処理が完了する。
【００６０】
なお、上記実施例では、ステップ５００では、画像の撮影により生体の有無を検知すると説明したが、別の方式として、生体の有無を検知するスイッチを設け、スイッチのＯＮ／ＯＦＦの状態によって生体の有無を検知してもよい。
【００６１】
また、上記実施例では、ステップ５５０では、連続した生体の特徴パターンの取得において、規定個数に達するまで繰り返すと説明したが、別の方式として、連続した生体の特徴パターンの取得は規定の制限時間まで繰り返すとしてもよい。
【００６２】
また、上記実施例では、ステップ４６０、５６０において複数の生体の特徴パターンの中から最適なものを選択すると説明したが、複数の特徴パターンを用いて最適な特徴パターンを生成するとしてもよい。生成方法の一例としては、複数の特徴パターンを平均化することで実現できる。
【００６３】
また、上記実施例では、ＩＣカードに指１本の生体情報が登録されているものとして説明したが、ＩＣカードに複数の生体情報が登録された場合は、生体情報毎に同様の更新処理を繰り返し適用するとしてもよい。
【００６４】
また、上記実施例では、本人確認のための特徴パターンの取得と、更新後の登録データとなる特徴パターンの取得を同時に実施するものとして説明したが、予め旧カードの有する生体認証機能を用いて本人確認を実施した後、更新のための生体の特徴パターンを取得するとしてもよい。
【図面の簡単な説明】
【００６５】
【図１】ＡＴＭの構成図
【図２】指静脈読取部の構成図
【図３】ＩＣカードの構成図
【図４】ＩＣカードの更新方法の処理フローチャート
【図５】生体の特徴パターンの読取処理のフローチャート
【符号の説明】
【００６６】
１０１…ＡＴＭ（現金自動取引装置）、１０２…指静脈読取部、１０３…表示部、１０４…入力部、１０５…カード読取書込部、１１１…入出金部、１１２…通帳機構部、１２０…制御部、１３１…旧ＩＣカード、１３２…新ＩＣカード、２０１…ＣＰＵ、２０２…通信部、２０３…生体照明ＬＥＤ、２０４…画像センサ、２０５…記憶部、２１０…制御プログラム、２２０…画像バッファ、２２１…特徴パターンバッファ（１）、２２２…特徴パターンバッファ（２）、３１０…ＣＰＵ、３１１…記憶部、３１２…通信部、３１３…不揮発メモリ、３２０…口座情報、３３０…生体認証プログラム、３４０…前処理データ、３４１…登録テンプレートデータ
【図１】
2010055228.tif 000003
【図２】
2010055228.tif 000004
【図３】
2010055228.tif 000005
【図４】
2010055228.tif 000006
【図５】
2010055228.tif 000007